(57)【特許請求の範囲】
【請求項１】
厚さ方向に通電されて発光する発光層と発光層を挟む透明な電極層とを有し厚さ方向に透光性を有する面状光源と、
面状光源を点灯させる第１点灯部と、
複数個の点状光源と、
各点状光源をそれぞれ点灯させる第２点灯部と、
点状光源の光を出射させる窓部を有し、点状光源と第１点灯部と第２点灯部とをそれぞれ収納するとともに、面状光源によって窓部が閉塞される形で面状光源を保持した器体とを備え、
第２点灯部は、面状光源の厚さ方向であって窓部の外側から見て面状光源の輝度が低い位置にある点状光源ほど高い輝度で点灯させることを特徴とする照明器具。
【請求項２】
点状光源のうち少なくとも２個は、それぞれ面状光源の厚さ方向であって窓部の外側から見て面状光源の輝度が互いに同じとなる位置に配置されていることを特徴とする請求項１記載の照明器具。
【発明の詳細な説明】
【技術分野】
【０００１】
本発明は、照明器具に関するものである。
【背景技術】
【０００２】
従来から、発光ダイオードなどの点状光源の光を、透光性を有する有機ＥＬ素子のような面状光源を通じて出射させることにより、点状光源の光と面状光源の光とを組み合わせて用いるようにした照明器具が提供されている（例えば、特許文献１参照）。
【特許文献１】特開平１１−８０６７号公報
【発明の開示】
【発明が解決しようとする課題】
【０００３】
従来は、点状光源の輝度を決定するに当り、面状光源の輝度むらが考慮されていなかった。
【０００４】
本発明は、上記事由に鑑みて為されたものであり、その目的は、輝度むらの低減が可能な照明器具を提供することにある。
【課題を解決するための手段】
【０００５】
請求項１の発明は、厚さ方向に通電されて発光する発光層と発光層を挟む透明な電極層とを有し厚さ方向に透光性を有する面状光源と、面状光源を点灯させる第１点灯部と、複数個の点状光源と、各点状光源をそれぞれ点灯させる第２点灯部と、点状光源の光を出射させる窓部を有し、点状光源と第１点灯部と第２点灯部とをそれぞれ収納するとともに、面状光源によって窓部が閉塞される形で面状光源を保持した器体とを備え、第２点灯部は、面状光源の厚さ方向であって窓部の外側から見て面状光源の輝度が低い位置にある点状光源ほど高い輝度で点灯させることを特徴とする。
【０００６】
この発明によれば、面状光源の輝度むらが点状光源によって補われるから、点状光源を用いない場合に比べて輝度むらを低減することができる。
【０００７】
請求項２の発明は、請求項１の発明において、点状光源のうち少なくとも２個は、それぞれ面状光源の厚さ方向であって窓部の外側から見て面状光源の輝度が互いに同じとなる位置に配置されていることを特徴とする。
【０００８】
この発明によれば、面状光源の厚さ方向であって窓部の外側から見て面状光源の輝度が互いに同じとなる位置にある全ての点状光源で輝度を共通とすることができるから、全ての点状光源の輝度をそれぞれ異ならせる場合に比べ、第２点灯部の構成を単純化して製造コストを低減することができる。
【発明の効果】
【０００９】
請求項１の発明によれば、面状光源の厚さ方向であって窓部の外側から見て面状光源の輝度が低い位置にある点状光源ほど高い輝度で点灯させることにより、面状光源の輝度むらが点状光源によって補われるから、点状光源を用いない場合に比べて輝度むらを低減することができる。
【００１０】
請求項２の発明によれば、点状光源のうち少なくとも２個が、それぞれ面状光源の厚さ方向であって窓部の外側から見て面状光源の輝度が互いに同じとなる位置に配置されているので、面状光源の厚さ方向であって窓部の外側から見て面状光源の輝度が互いに同じとなる位置にある全ての点状光源で輝度を共通とすることができるから、全ての点状光源の輝度をそれぞれ異ならせる場合に比べ、第２点灯部の構成を単純化して製造コストを低減することができる。
【発明を実施するための最良の形態】
【００１１】
以下、本発明を実施するための最良の形態について、図面を参照しながら説明する。
【００１２】
本実施形態は、図１に示すように、面状光源１と、複数個の点状光源２がそれぞれ実装されたプリント配線板３と、プリント配線板３が収納されるとともに面状光源１を保持した器体４とを備える。点状光源２としては例えば発光ダイオードを用いることができる。以下、上下左右は図１を基準として説明する。
【００１３】
面状光源１は、いわゆる有機ＥＬ素子であって、図２に示すように、透明な材料からなり厚さ方向を上下方向に向けて器体４に保持された基板１０と、透光性と導電性とを有する材料からなり基板１０の上面に設けられた第１電極層１１と、第１電極層１１の上に設けられて厚さ方向に通電されることにより発光する発光層１２と、透光性と導電性とを有する材料からなり発光層１２の上に設けられ厚さ方向において第１電極層１１との間に発光層１２を挟む第２電極層１３と、透光性を有する材料からなり第２電極層１３の上に設けられて上方から見て発光層１２を覆う封止層１４とを有する。基板１０の材料としては例えばガラスを用いることができる。また、各電極層１１，１３の材料としては、それぞれ例えばインジウムスズ酸化物（ＩＴＯ）を用いることができる。封止層１４の材料としては、例えばシリコーン樹脂を用いることができる。上記のように、面状光源１を構成する基板１０と各電極層１１，１３と封止層１４とはそれぞれ透光性を有しており、発光層１２は非常に薄いので、面状光源１は全体として上下方向（厚さ方向）に透光性を有する。
【００１４】
さらに、第１電極層１１には上方から見て封止層１４よりも左側に突出する端子部１１ａが設けられるとともに、第２電極層１３には上方から見て封止層１４よりも右側に突出する端子部１３ａが設けられている。また、各端子部１１ａ，１３ａに対して左右方向の外側には、それぞれ導電材料からなる接続端子１５と、導電材料からなり接続端子１５と端子部１１ａ，１３ａとを一対一に電気的に接続する導電パターン１６とが設けられている。接続端子１５と導電パターン１６とはそれぞれ例えばクロムを基板１０上にめっきすることで形成することができる。プリント配線板３には、面状光源１を点灯させる直流電力を生成する第１点灯部を構成する回路部品（図示せず）が実装されており、第１点灯部は各接続端子１５にそれぞれ例えば図示しない電線を介して電気的に接続されている。第１点灯部は周知技術で実現可能であるので、図示並びに詳細な説明は省略する。
【００１５】
プリント配線板３は、各点状光源２がそれぞれ実装された面を下方へ向けて器体４内に保持されている。器体４の下面には、各点状光源２の光をそれぞれ出射させる窓穴４０が開口しており、面状光源１は窓穴４０を閉塞する形で器体４に保持されている。さらに、器体４において面状光源１の上側には、例えば透光性を有する乳白色の板からなり各点状光源２の光をそれぞれ拡散させる拡散板５が、面状光源１の上面を覆う形で保持されている。つまり、各点状光源２の光は、それぞれ、拡散板５と面状光源１とを通じて下方へ出射される。また、プリント配線板３には、点状光源２を点灯させる直流電力を生成する第２点灯部を構成する回路部品（図示せず）が実装されている。第２点灯部は周知技術で実現可能であるので、図示並びに詳細な説明は省略する。
【００１６】
ここで、面状光源１においては、電極層１１，１３自体の電気抵抗により、発光層１３に厚さ方向に流れる電流の電流値には、各導電パターン１６との接続部との距離の和に応じた分布が生じる。そして、発光層１３の輝度は上記電流値に依存する。つまり、面状光源１には上記電流値の分布と同様の輝度むらが生じる。
【００１７】
そこで、本実施形態では、第２点灯部は、下方から見て、第１電極層１１の端子部１１ａと導電パターン１６との接続点（以下、「第１の接続点」と呼ぶ。）からの距離と、第２電極層１３の端子部１３ａと導電パターン１６との接続点（以下、「第２の接続点」と呼ぶ。）からの距離との和が大きい点状光源２ほど、つまり発光層１３に厚さ方向に流れる電流の電流値が小さく面状光源１の輝度が低い位置の点状光源２ほど、供給する電流の電流値を大きくすることにより、高い輝度で点灯させる。
【００１８】
上記構成によれば、面状光源１の輝度むらが点状光源２の光によって低減される。
【００１９】
なお、上記の場合、面状光源１において下方から見て輝度が同じとなる点の集合は第１の接続点と第２の接続点とを焦点とする楕円形状となるので、下方から見て第１の接続点と第２の接続点とを焦点とする楕円を複数個仮想し、各楕円上にそれぞれ複数個ずつ点状光源２を設け、第２点灯部は同じ楕円上の点状光源２が同じ光源グループに属するとして光源グループ毎の電力供給を行うようにしてもよい。つまり、第２点灯部は、同じ光源グループに属する複数個の点状光源２には互いに共通の電力を供給して輝度を揃えるとともに、異なる光源グループに属する点状光源２同士であれば互いに異なる電力を供給して輝度を異ならせる。この構成によれば、全ての点状光源２にそれぞれ異なる電力を供給する場合に比べ、点状光源２の個数の割に第２点灯部の回路構成を単純化して製造コストを低減することができる。
【図面の簡単な説明】
【００２０】
【図１】本発明の実施形態を示す断面図である。
【図２】同上の面状光源の構造を示す説明図である。
【符号の説明】
【００２１】
１  面状光源
２  点状光源
４  器体
１１  第１電極層
１２  発光層
１３  第２電極層
【図１】
0004816604.tif 000002
【図２】
0004816604.tif 000003